(57)【特許請求の範囲】
【請求項１】
クレセントを回動可能に支持する台座を屋内側障子の召合せ框に取り付け、クレセント受けを屋外側障子の召合せ框に取り付けてなるクレセント錠であって、
クレセントと一体的に回動する操作レバー内に収容部を設けて永久磁石を収容し、
該永久磁石に近接してオンとなるリードスイッチを保持するセンサーケースを、クレセント錠の施錠状態においてリードスイッチがオンとなるように、台座に着脱可能に取り付け、
防犯ブザー、該ブザーの電源及び電源スイッチからなる警報回路と、リードスイッチのオンに対応して警報回路を開状態とし、リードスイッチのオフに対応して警報回路を閉状態とするスイッチング手段とからなる警報手段を、屋内側障子の下部又は上部等のクレセント錠から離間させた位置に取り付け、
該警報手段とセンサーケース内のリードスイッチとをケーブルにより接続してなり、
警報回路の電源スイッチをオンとした状態において、操作レバーが施錠位置から回動されるか、又は、リードスイッチと警報手段との間のケーブルが切断されると、警報回路が閉状態となって防犯ブザーが鳴動することを特徴とする防犯ブザー付クレセント錠。
【発明の詳細な説明】
【技術分野】
【０００１】
本発明は、クレセント錠のクレセントが不法に回動された場合に防犯ブザーを鳴動させる防犯ブザー付クレセント錠の改良に関するものである。
【背景技術】
【０００２】
クレセントを回動可能に支持する台座を屋内側障子の召合せ框に取り付け、クレセント受けを屋外側障子の召合せ框に取り付けてなる、引違い窓又は戸に用いられるクレセント錠において、侵入者が屋外からガラスを部分的に破壊する等してクレセントが不法に回動された場合に防犯ブザーを鳴動させる構成として、特許文献１には、警報回路を、リードスイッチ、防犯ブザー（警報器）、電源及び電源スイッチにより構成し、屋内側障子の召合せ框（側枠）に、警報回路の防犯ブザー、電源及び電源スイッチを取り付け、台座（取付台）に、警報回路のリードスイッチを取り付け、クレセントに永久磁石を固着してなる構成の開示がある。このような構成により、クレセントが不法に回動された場合には前記リードスイッチに前記永久磁石が接近して閉状態となるため、前記防犯ブザーが鳴動する。
【０００３】
また、特許文献２及び特許文献３には、電源部、異常検知センサ、マイコン、警報部、操作レバー（操作部）の回動を検出するマグネットセンサ、電圧監視部、表示ランプ及び電磁石を具備する警報装置を、ケース状に構成した台座（錠基部）に装備し、操作レバーに永久磁石を設けてなる構成の開示がある。このような構成により、クレセントが不法に回動された場合にはマグネットセンサが操作レバーに設けた永久磁石からの磁気変化を検出してマイコンへ検知信号を出力するため、前記警報部が警報音を鳴動させる。
【０００４】
【特許文献１】実開昭５６−１６７５５号公報（第１−２図）
【特許文献２】特開２００５−１１３６３７号公報（図１、図８）
【特許文献３】特開２００５−９１９５号公報（図１、図４）
【発明の開示】
【発明が解決しようとする課題】
【０００５】
特許文献１のような防犯ブザー付クレセント錠の構成では、警報回路の電源スイッチが屋内側障子の召合せ框のクレセントの近傍に配置されるため、侵入者によりクレセント錠近傍のガラスが部分的に破壊されると、警報回路の電源スイッチが容易にオフにされ防犯ブザーが鳴動しないという問題点がある。また、リードスイッチと防犯ブザー間の配線が切断されると、防犯ブザーが鳴動しなくなるという問題点がある。
【０００６】
また、特許文献２及び特許文献３のような防犯ブザー付クレセント錠の構成では、警報装置が屋内側障子の召合せ框のクレセントの近傍に配置されるため、警報装置の動作を入切する構成としてオン・オフスイッチを設ける構成では、侵入者によりクレセント錠近傍のガラスが部分的に破壊されると、前記オン・オフスイッチが容易にオフにされ防犯ブザーが鳴動しないという問題点がある。また、警報装置には、電源部、異常検知センサ、マイコン、警報部、操作レバー（操作部）の回動を検出するマグネットセンサ、電圧監視部、表示ランプ及び電磁石が含まれるため、該警報装置の構成が複雑であり、製造コストが嵩むと共に信頼性が低下するという問題点がある。さらに、該警報装置の外形が比較的大きくなるため、例えば窓サッシの屋内側障子の召合せ框に現物加工を行って取り付ける必要があると共に、クレセント錠の意匠性が損なわれるという問題点がある。
【０００７】
そこで、本発明が前述の状況に鑑み、解決しようとするところは、侵入者によりクレセント錠近傍のガラスが部分的に破壊されても警報回路の電源スイッチが容易にオフにされることがなく、リードスイッチと防犯ブザー間の配線が切断されても防犯ブザーが鳴動する、構成が簡素で実用性に優れた防犯ブザー付クレセント錠を提供する点にある。
【０００８】
本発明に係る防犯ブザー付クレセント錠は、クレセントを回動可能に支持する台座を屋内側障子の召合せ框に取り付け、クレセント受けを屋外側障子の召合せ框に取り付けてなるクレセント錠であって、クレセントと一体的に回動する操作レバー内に収容部を設けて永久磁石を収容し、該永久磁石に近接してオンとなるリードスイッチを保持するセンサーケースを、クレセント錠の施錠状態においてリードスイッチがオンとなるように、台座に着脱可能に取り付け、防犯ブザー、該ブザーの電源及び電源スイッチからなる警報回路と、リードスイッチのオンに対応して警報回路を開状態とし、リードスイッチのオフに対応して警報回路を閉状態とするスイッチング手段とからなる警報手段を、屋内側障子の下部又は上部等のクレセント錠から離間させた位置に取り付け、該警報手段とセンサーケース内のリードスイッチとをケーブルにより接続してなり、警報回路の電源スイッチをオンとした状態において、操作レバーが施錠位置から回動されるか、又は、リードスイッチと警報手段との間のケーブルが切断されると、警報回路が閉状態となって防犯ブザーが鳴動するものである。
【発明の効果】
【０００９】
本発明に係る防犯ブザー付クレセント錠によれば、クレセントを回動可能に支持する台座を屋内側障子の召合せ框に取り付け、クレセント受けを屋外側障子の召合せ框に取り付けてなるクレセント錠であって、クレセントと一体的に回動する操作レバー内に収容部を設けて永久磁石を収容し、該永久磁石に近接してオンとなるリードスイッチを保持するセンサーケースを、クレセント錠の施錠状態においてリードスイッチがオンとなるように、台座に着脱可能に取り付け、防犯ブザー、該ブザーの電源及び電源スイッチからなる警報回路と、リードスイッチのオンに対応して警報回路を開状態とし、リードスイッチのオフに対応して警報回路を閉状態とするスイッチング手段とからなる警報手段を、屋内側障子の下部又は上部等のクレセント錠から離間させた位置に取り付け、該警報手段とセンサーケース内のリードスイッチとをケーブルにより接続してなり、警報回路の電源スイッチをオンとした状態において、操作レバーが施錠位置から回動されるか、又は、リードスイッチと警報手段との間のケーブルが切断されると、警報回路が閉状態となって防犯ブザーが鳴動するので、警報回路の電源スイッチがクレセント錠から離間しているため、侵入者によりクレセント錠近傍のガラスが部分的に破壊されても該電源スイッチが容易にオフにされることがない。また、クレセント錠から離間した位置に取り付けられた警報手段に前記スイッチング手段があるため、リードスイッチと警報手段との間のケーブルが切断されたとしても、該切断により前記スイッチング手段がオンとなり、警報回路を閉状態として防犯ブザーを鳴動させることができる。さらに、このようにガラス破りによる侵入に対する防犯性を高めながら、構成が簡素であるため、防犯機能の追加によるコストの増大を抑制することができ、より実用的な防犯ブザー付クレセント錠を得ることができる。さらにまた、操作レバーに収容部を設けて永久磁石を収容し、リードスイッチを保持するセンサーケースを台座に着脱可能に取り付けており、既設のクレセント錠に対して該クレセント錠自体を取り外すことなく、前記永久磁石及びリードスイッチを現物加工をせずに取り付けることができるため、既設のクレセント錠に対して容易に防犯機能を付加することができる。また、このような防犯機能を付加しても、クレセント錠の形状はコンパクトなセンサーケースの部分が若干大きくなるだけであり、何ら違和感を生じることはなく、意匠性が損なわれることはない。
【発明を実施するための最良の形態】
【００１０】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、屋内側から屋外側へ向かう方向の前側を前、後側側を後とし、前方に向かって左右を左右とする。また、屋内側から見た図を正面図とする。
【００１１】
図１及び図２は、本発明に係る防犯ブザー付クレセント錠を引き違いサッシに取り付けた例を示す説明図であり、図１は正面図、図２はクレセント錠まわりの横断平面図である。また、図３〜図６は、本発明に係る防犯ブザー付クレセント錠の構成例の説明図であり、図３は全体構成図、図３（ａ）は正面図、図３（ｂ）は左側面図、図４はクレセント錠の縦断正面図、図５はクレセント錠の分解正面図、図６は回路構成図である。
【００１２】
図１及び図２に示すように、防犯ブザー付クレセント錠１の台座２は、ガラス１０５が装着された屋内側障子１０１の召合せ框１０３に取り付けられ、クレセント受け１０は、ガラス１０６が装着された屋外側障子１０２の召合せ框１０４に取り付けられる。クレセント４は、台座２により左右方向の水平軸Ａまわりに回動可能に支持され、クレセント４の本体部にキャップ７により固定されクレセント４と一体的に回動する操作レバー５により操作される。したがって、操作レバー５を操作し、クレセント４を左右方向の水平軸Ａまわりに回動させて係合板４ａをクレセント受け１０に係合させると、引き違いサッシを構成する障子１０１，１０２が閉じた状態で錠止され、施錠状態となる。また、屋内側障子１０１の下部のクレセント錠から離間させた位置には、警報手段３１が両面テープ等を用いて取り付けられる。
【００１３】
図３に示すように、警報手段３１は台座２に取り付けられたリードスイッチ２１とケーブル４０により接続されており、操作レバー５内には永久磁石１１，１１が内蔵される。また、図４に示すように、台座２は、取付ねじ８，８により召合せ框１０３に取り付けられ、台座２上部のカバー係止部３には係止段部３ａ及び凸部３ｂが形成されているため、ねじカバー９の係止爪９ａを係止段部３ａに係止すると、ねじカバー９は、ねじ８を覆いながら台座２に安定状態で取り付けられると共に、容易に取り外すことができる。なお、リードスイッチ２１は、不活性ガスが封入され、外気から遮断されたガラス管内のリード片を磁気で開閉させるものであり、接触信頼性が非常に高いものであるため、長期にわたって高い信頼性を維持することができる。
【００１４】
台座２下部のカバー係止部３にも係止段部３ａ及び凸部３ｂが形成されているため、上記と同様にねじカバー９を装着することができるものであるが、台座２下部のカバー係止部３を利用して、屋内側障子１０１の召合せ框１０３に現物加工を行うことなく、後述するようにリードスイッチ２１が固定されたセンサーケース２２を取り付けることができる。すなわち、センサーケース２２の係止爪２２ａを、台座２下部のカバー係止部３の係止段部３ａに係止すればよい。
【００１５】
図４及び図５に示すように、操作レバー５には、台座２に対向する側に開口部を有する収容部６が形成されており、該収容部６に永久磁石１１，１１及び該永久磁石１１，１１に吸着された鉄片１２が収容され、収容部６の前記開口部には裏蓋１３が装着される。また、リードスイッチ２１は、センサーケース２２の内面側に一体形成された図示しない係止爪、又は、センサーケース２２と別体の取付板等により、センサーケース２２の操作レバー５に対向する面の内側に取り付けられる。そして、リードスイッチ２１両端の端子２１ａ，２１ｂに接続されたケーブル４０（電線をビニール等の絶縁体で覆ったもの）が、図４に示すケーブル引出穴２２ａから引き出されて、図１及び図３に示すように警報手段３１に接続される。
【００１６】
以上のような構成により、操作レバー５（クレセント４）の不法な回動を検出する検出手段である、永久磁石１１，１１及びリードスイッチ２１を、既設のクレセント錠に対して該クレセント錠自体を取り外すことなく取り付けることができる。また、永久磁石１１，１１の操作レバー５への取り付けが該操作レバーの現物加工を行わずにできること、並びに、リードスイッチ２１及び警報手段３１の屋内側障子１０１の召合せ框１０３への取り付けが該召合せ框１０３の現物加工を行わずにできることから、既設のクレセント錠に対して容易に防犯機能を付加することができる。また、防犯機能を付加しても、クレセント錠の形状はコンパクトなセンサーケース２２の部分が若干大きくなるだけであり、何ら違和感を生じることはなく、意匠性が損なわれることはない。
【００１７】
次に、警報手段３１の構成及び動作について説明する。図６に示すように、警報手段３１は、防犯ブザー３２、防犯ブザー３２の電源３３及び電源スイッチであるオン・オフスイッチ３４からなる警報回路、並びに、リードスイッチ２１のオンに対応して警報回路を開状態とし、リードスイッチ２１のオフに対応して警報回路を閉状態とするスイッチング手段であるＮＰＮ型トランジスタ３５からなる。そして、ＮＰＮ型トランジスタ３５のベースＢが抵抗３７及び３６を介して電源３３とオン・オフスイッチ３４との間に接続され、ＮＰＮ型トランジスタ３５のコレクタＣがコイル３８を介してオン・オフスイッチ３４と防犯ブザー３２との間に接続され、ＮＰＮ型トランジスタ３５のエミッタＥが電源３３と接続される。また、リードスイッチ２１の一方の端子２１ａに接続されたケーブル４０ａが前記ＮＰＮ型トランジスタ３５のエミッタＥと電源３３との間に接続され、リードスイッチ２１の他方の端子２１ｂに接続されたケーブル４０ｂが抵抗３７と抵抗３６との間に接続される。
【００１８】
電源スイッチであるオン・オフスイッチ３４をオフにした状態では防犯ブザー３２が鳴動しないため、警報手段３１を作用させたくない場合には、オン・オフスイッチ３４をオフにすればよい。夜間又は外出時等において警報手段３１を作用させる場合には、クレセント錠を施錠状態としてからオン・オフスイッチ３４をオンにして警報待機状態とする。クレセント錠が施錠状態であれば、前記のとおり操作レバー５に内蔵された永久磁石１１が台座２側にセンサーケース２２内に取り付けられたリードスイッチ２１の近傍にあり、リードスイッチ２１内のリード片に外部磁界が作用して吸着された状態となり、リードスイッチ２１はオンとなる。この状態では、ＮＰＮ型トランジスタ３５のコレクタＣとエミッタＥとの間に電流を流すためのベース電流が流れないため、該ＮＰＮ型トランジスタ３５はオフの状態となる。したがって、警報回路は開状態となり、コイル３８に電流が流れないため、防犯ブザー３２は鳴動しない。
【００１９】
このようにクレセント錠を施錠状態としてオン・オフスイッチ３４をオンとした警報待機状態において、侵入者によりガラス１０６のクレセント錠近傍部分が破壊され、操作レバー５が回動されると、前記永久磁石１１が前記リードスイッチ２１から離れる方向に移動するため、該リードスイッチ２１内のリード片に外部磁界が作用しなくなって、該リードスイッチ２１はオフとなる。この状態では、ＮＰＮ型トランジスタ３５のコレクタＣとエミッタＥとの間に電流を流すためのベース電流が流れるため、該ＮＰＮ型トランジスタ３５はオンの状態となる。したがって、警報回路は閉状態となり、コイル３８に電流が流れ、電磁誘導によりコイル３９及び防犯ブザー３２を含む閉回路に電流が流れるため、防犯ブザー３２が鳴動し、この状態が継続する。
【００２０】
この状態では、警報手段３１のオン・オフスイッチ３４をオフにしなければ防犯ブザー３２の鳴動が止まらないが、警報手段３１は、屋内側障子１０１の下部のクレセント錠から離間させた位置に取り付けられているため、オン・オフスイッチ３４が容易にオフにされることはない。また、操作レバー５を回動する前にオン・オフスイッチ３４をオフにしようとしても、警報手段３１を探しあてて警報手段３１近傍のガラス１０６又は１０５も破壊する必要があるため、侵入時間が長くなる。したがって、不法侵入の抑制効果が高くなるため、防犯性が向上する。なお、警報手段３１は、屋内側障子１０１の下部ではなく、上部に取り付けてもよいし、屋内側障子１０１におけるクレセント錠から離間させた自由な位置に取り付けることができる。さらに、ガラス１０５，１０６の外部から視認できないように警報手段３１を隠すこともできる。警報手段３１が外部から視認できないようにすれば、ガラス破りによる侵入に対する防犯性をより高めることができる。
【００２１】
リードスイッチ２１と警報手段３１とはケーブル４０により接続されるが、前記のとおり、警報手段３１側にスイッチング手段を構成するＮＰＮ型トランジスタ３５が設けられているため、ケーブル４０が侵入者により切断されたとしても、これはリードスイッチ２１がオフになったのと同等の状態となるため、この状態では操作レバー５を回動しなくても防犯ブザー３２が鳴動することになる。したがって、侵入者は、警報手段３１のオン・オフスイッチ３４をオフにしない限り、防犯ブザーを鳴動させないで操作レバー５を回動してクレセント錠を解錠する手段はない。
【００２２】
以上のとおりの簡素な構成からなる永久磁石１１、リードスイッチ２１及び警報手段３１により、効果的な防犯機能を既設のクレセント錠に付加しながらコストの増大を抑制することができると共に、クレセント錠の外観も何ら違和感がないため、極めて実用的な防犯ブザー付クレセント錠を実現することができる。
【図面の簡単な説明】
【００２３】
【図１】本発明に係る防犯ブザー付クレセント錠を引き違いサッシに取り付けた例を示す正面図である。
【図２】同じくクレセント錠まわりの横断平面図である。
【図３】本発明に係る防犯ブザー付クレセント錠の構成例の全体構成図である。
【図４】同じくクレセント錠の縦断正面図である。
【図５】同じくクレセント錠の分解正面図である。
【図６】同じく回路構成図である。
【符号の説明】
【００２４】
Ａ  水平軸
１  防犯ブザー付クレセント錠
２  台座
３  カバー係止部
３ａ  係止段部
３ｂ  凸部
４  クレセント
４ａ  係合板
５  操作レバー
６  収容部
７  キャップ
８  取付ねじ
９  ねじカバー
９ａ  係止爪
１０  クレセント受け
１１  永久磁石
１２  鉄片
１３  裏蓋
２１  リードスイッチ
２１ａ，２１ｂ  端子
２２  センサーケース
２２ａ  係止爪
２２ｂ  ケーブル引出穴
３１  警報手段
３２  防犯ブザー
３３  電源
３４  電源スイッチ（オン・オフスイッチ）
３５  スイッチング手段（ＮＰＮ型トランジスタ）
３６，３７  抵抗
３８，３９  コイル
４０  ケーブル
１０１  屋内側障子
１０２  屋外側障子
１０３，１０４  召合せ框
１０５，１０６  ガラス
【図１】
0004670548.tif 000002
【図２】
0004670548.tif 000003
【図３】
0004670548.tif 000004
【図４】
0004670548.tif 000005
【図５】
0004670548.tif 000006
【図６】
0004670548.tif 000007